(57)【要約】【課題】  この発明は、従来の防菌、防黴、防藻の外に消臭効果を奏するようにすることを目的としたものである。【解決手段】  この発明は、ニトリル系抗菌剤、ピリジン系抗菌剤、ハロアルキルチオ系抗菌剤、有機ヨード系抗菌剤及びチアゾール系抗菌剤を有効成分として含有する組成物に、植物乾留抽出エキスを加えたことを特徴とする消臭・抗菌組成物により目的を達成した。【選択図】  なし【特許請求の範囲】
【請求項１】
ニトリル系抗菌剤、ピリジン系抗菌剤、ハロアルキルチオ系抗菌剤、有機ヨード系抗菌剤及びチアゾール系抗菌剤を有効成分として含有する組成物に、植物乾留抽出エキスを加えたことを特徴とする消臭・抗菌組成物。
【請求項２】
ニトリル系抗菌剤、ピリジン系抗菌剤、ハロアルキルチオ系抗菌剤、有機ヨード系抗菌剤、チアゾール系抗菌剤及びベンツイミダゾール系抗菌剤を有効成分として含有する組成物に、植物乾留抽出エキスを加えたことを特徴とする消臭・抗菌組成物。
【請求項３】
ニトリル系抗菌剤がハロイソフタロニトリル化合物から、ピリジン系抗菌剤がスルフォニルハロピリジン化合物及び／又はピリジンチオール−１−オキシド化合物から、ハロアルキルチオ系抗菌剤がハロアルキルチオスルフィミド化合物から、有機ヨード系抗菌剤がヨードスルフォニルベンゼン化合物から、チアゾール系抗菌剤がイソチアゾリン−３−オン化合物から、ベンツイミダゾール系抗菌剤がベンツイミダゾールカルバミン酸化合物及び／又はチアゾリルベンチイミダゾール化合物から、それぞれ選ばれることを特徴とする請求項１又は２記載の消臭・抗菌組成物。
【請求項４】
植物乾留抽出物エキスの成分は、アビエチン酸、脂油、アミノ酸、葉酸、フラボノイドデキストリン、酢酸、葉緑素、各種ビタミンを含むことを特徴とした請求項１又は２記載の消臭・抗菌組成物。
【発明の詳細な説明】
【技術分野】
【０００１】
この発明は、防菌、防黴、防藻作用を有し、更にこれらに加えて無機質、有機質にかかわらず悪臭源を分解、消臭する抗菌、抗黴、防藻、消臭に有効な組成物を得ることを目的とした消臭・抗菌組成物に関する。
【背景技術】
【０００２】
従来各種抗菌剤を配合した抗菌組成物が提案され、優れた防菌、防黴、防藻作用を有するとされている。前記は、複数の抗菌剤を使用することにより、その相乗効果で菌類の阻止能力を発揮し、多種の細菌、真菌類、微小藻類等を有効に阻止するとされている。
【特許文献１】特開平８−９２０１２
【発明の開示】
【発明が解決しようとする課題】
【０００３】
前記公知の組成物は、防菌、防黴、防藻に多大の効力を発揮するとされているが、消臭について、特に動物臭については消臭効果が期待できない問題点があった。
【課題を解決するための手段】
【０００４】
この発明は、前記公知の抗菌組成物に、植物乾留抽出エキスを加えることにより、防菌、防黴、防藻と共に消臭効果を発揮させることに成功したのである。
【０００５】
即ちこの発明は、ニトリル系抗菌剤、ピリジン系抗菌剤、ハロアルキルチオ系抗菌剤、有機ヨード系抗菌剤及びチアゾール系抗菌剤を有効成分として含有する組成物に、植物乾留抽出エキスを加えたことを特徴とする消臭・抗菌組成物であり、ニトリル系抗菌剤、ピリジン系抗菌剤、ハロアルキルチオ系抗菌剤、有機ヨード系抗菌剤、チアゾール系抗菌剤及びベンツイミダゾール系抗菌剤を有効成分として含有する組成物に、植物乾留抽出エキスを加えたことを特徴とする消臭・抗菌組成物である。
【０００６】
また、ニトリル系抗菌剤がハロイソフタロニトリル化合物から、ピリジン系抗菌剤がスルフォニルハロピリジン化合物及び／又はピリジンチオール−１−オキシド化合物から、ハロアルキルチオ系抗菌剤がハロアルキルチオスルフィミド化合物から、有機ヨード系抗菌剤がヨードスルフォニルベンゼン化合物から、チアゾール系抗菌剤がイソチアゾリン−３−オン化合物から、ベンツイミダゾール系抗菌剤がベンツイミダゾールカルバミン酸化合物及び／又はチアゾリルベンチイミダゾール化合物から、それぞれ選ばれるものであり、植物乾留抽出物エキスの成分は、アビエチン酸、脂油、アミノ酸、葉酸、フラボノイドデキストリン、酢酸、葉緑素、各種ビタミンを含むものである。
【０００７】
この発明の植物乾留抽出物エキスを製造するための植物は、イラクサ、熊笹、椿、茶、蓮、レモンその他各種植物であって、前記植物から抽出したエキスは、水酸基を有する有機化合物であって、前記のような各種成分を含んでいる。
【０００８】
前記植物エキスは、悪臭、有毒、汚水処理に際し、酸性とアルカリ性、無機質と有機質などの複合悪臭有害物質を同時分解・消臭処理することができる。また植物のエキスであるから、食品添加物に使用しても無害であり、二次公害のおそれはない。
【０００９】
前記植物エキスは、植物の成長に有効な細菌の繁殖を阻害しないのみならず、繁殖を促進し、かつ廃棄物の汚臭を消去し、農作物の肥力を促進する作用がある。
【００１０】
前記エキスは、前記積極的効果の他に使用に際して散布、投入、噴霧、気化が自由であって、使用態様による効果の低下は認められない。
【００１１】
また消臭効果と消毒効果があり（ウジが発生しない）、引火のおそれがなく、急性毒性なく（経口毒性なし）、安全性が極めて高いものである。
【００１２】
前記エキスの消臭効果は、次の各所の消臭に使用した結果、有効性が認められた。
【００１３】
（１）一般家庭    トイレ、台所ゴミ、食堂、風呂場、下水溝、ごみ捨て場、犬猫・小鳥などのペット、肥溜場、一般室内、車内、寝具
（２）畜産、農業関係    養豚場、養鶏場、牛馬舎その他、屠殺場、家畜運搬車、糞尿堆積場、食肉加工所
（３）工場関係    複合肥料製造工場、皮革業、澱粉製造業、セロファン製造業、クラフトパルプ製造業、飼料工場、水産缶詰め工場、レーヨン製造業、ＦＲＰ製造工場、その他
（４）各種処理場    し尿処理場、ごみ処理場、下水処理場、フェザー処理場、魚腸骨処理場、鶏糞処理場、バキュームカー
（５）その他    船舶、ＪＲ・私鉄列車、ＪＲ・私鉄駅舎及び公衆便所、輸入皮革製品、航空機、汚染河川、薬品類容器、ランドリー、サウナ、ホテル、給食場、運搬車、食品倉庫、体育館
また消臭効果としては表１のとおりである。
【表１】
2005272328.tif 000002
【発明の効果】
【００１４】
この発明によれば、防菌、防黴、防藻の効果があると共に、各種汚臭に対し消臭効果がある。この発明の組成物は、極めて安定性がよく、各種使用態様に対して性能変化がなく、同一効果を発揮することができる。
【発明を実施するための最良の形態】
【００１５】
この発明は、抗菌組成物（特開平８−９２０１２発明の実施物）の技術供与を受け、脱臭について研究開発したものである。従って、抗菌組成物については、前記発明の実施により得たものを、発明者の指示に従って使用し、この発明により得た植物乾留抽出エキスと水１００に対し、防黴剤０．１％〜５０％、消臭剤０．１％〜５０％混入して使用する。前記は、使用時に何倍かに希釈すること、使用対象物が千差万別であることを考慮しているので、商品の有効成分含有範囲を０．１％〜５０％としているが、最終使用時に消臭剤を０．０１％〜５．０％含んでおれば消臭効果を発揮することができる。
【００１６】
前記０．０１％〜５．０％は、消臭対象物の性質により異なるので、斯かる範囲としている。従って消臭対象物が特定されると、混入量の範囲も狭く確定する。
【実施例１】
【００１７】
この発明を実施例について説明すると、２，４，５，６−テトラクロロイソフタロニトリル２０％（質量）、２，３，５，６−テトラクロロ−４−メチルスルホニルビ  リジン１７％（質量）、Ｎ，Ｎ−ジメチル−Ｎ’−フェニール−Ｎ’−（フロロジ  クロロメチルチオ）スルフィミド９％（質量）、２−（４−チアゾリル）−１Ｈ−ベンズイミダゾール３％（質量）、２−ビリジ  ンチオール−１−オキシド  ナトリウム３％（質量）、ジョード  メチル−Ｐ−トリルスルフォン２７％（質量）、２−（ｎ−オクチル）−４−イソチアゾ  リン−３−オン１４％（質量）、１Ｈ−２−ベンツイミダ  ゾールカルバ  ミン酸メチル７％（質量）よりなる組成物に、植物乾留抽出エキス１００に対し、防黴剤２％、消臭剤２％を含む組成物を添加してこの発明の消臭・抗菌組成物を得た。
【００１８】
（試験例１）
供試品・・・実施例１の消臭・抗菌組成物。
【００１９】
試験目的・・・供試品について、アンモニア及びトリメチルアミンの脱臭効果を試験する。
【００２０】
試験概要・・・供試品を匂い袋に入れた後、窒素ベースのアンモニア（約５００ＰＰＭ）を封入して、経時的に袋内の残存ガス濃度の測定をした。トリメチルアミン（５０ＰＰＭ）も同様に試験。
【００２１】
試験結果・・・前記の試験結果表２、表３を得た。
【表２】
2005272328.tif 000003
【表３】
2005272328.tif 000004
【００２２】
試験方法
試薬及び器具
匂い袋：（株）アレックス商会製
アンモニア水：小宗化学薬品（株）製
トリメチルアミン：東京化成工業（株）製
ガス検知管：（株）ガステック製
操作
供試品１ｇを５×５ｃｍの脱脂綿にひたし、匂い袋（２５×３５ｃｍ）にいれてヒートシールを施した後、窒素ベースのアンモニア３Ｌ（５００ＰＰＭ）を封入した。これを室温で放置し、０．５、１、３、６、及び２４時間後にガス検知管により袋内の残存ガス濃度を測定した。尚、対象として水１ｇを用いて同様な操作を行なった。また、トリメチルアミン（５０ＰＰＭ）についても同様に試験した。
【００２３】
表２、表３の効果を得た混合物の混合率
精製水                ９５％
消臭剤                  ３％
抗菌組成物              ２％の混合液
特に動物並びに生ゴミ等の臭気がきつい時は、下記混合率で行なう。
【００２４】
精製水                ９２％
消臭剤                  ５％
抗菌組成物              ９％の混合液